(57)【要約】【課題】本発明は子供用食器洗浄機を開示した。【解決手段】外殻を含み、モータＢがねじロッドを回転連動させ、ねじロッドがねじ山による結合を通して上方のスライド板を下へ移動連動させ、下方のスライド板が上へ移動し、両側の押しロッドを同期に移動連動させ、押しロッドが挿入孔の中に入ってロックブロックを押し動かして移動させ、食器をしっかりと固定でき、洗浄する時に食器が絶えず回転し、洗浄効率が高く、且つ洗浄効果が良く、超音波を利用することにより洗浄効果を更に向上させることができ、洗浄した後で紫外線を利用するのはよりよく細菌を殺して消毒でき、次回に使用されるまで食器のきれいさを保証でき、子供の使用に便利を与える。【選択図】図１
2020179070.tif 000002
【特許請求の範囲】
【請求項１】
外殻を含み、前記外殻の中には洗浄チャンバが設置され、前記外殻の頂部端面にはカバー板がヒンジで連結され、前記外殻の前側端面には操作パネルが固定的に装着され、前記洗浄チャンバの右側の中には回転部品が設置され、前記回転部品は回転チャンバを含み、前記回転チャンバの右側壁の中にはモータＡが固定的に装着され、前記モータＡの左側の出力軸には連結方形フロックが固定的に連結され、前記連結方形フロックの左側端面には回転ヘッドが固定的に装着され、前記回転ヘッドの中には左方に開口した挿入溝が設置され、前記洗浄チャンバの中には食器を置ける挟み部品が設置され、前記挟み部品は底板を含み、前記底板の左側端面にはスライドヘッドが固定的に装着され、前記底板の右側端面には插入連結ヘッドが固定的に装着され、前記插入連結ヘッドは前記挿入溝の中に挿入されて前記挿入溝と作動しあってロックを完成することができ、前記外殻の中には前記插入連結ヘッドと前記回転ヘッドとのロックを解除できる解錠部品が設置され、前記洗浄チャンバの中及び前記外殻の中には食器を洗浄と消毒できる洗浄部品が設置されていることを特徴とする子供用食器洗浄機。
【請求項２】
前記回転部品はまた前記回転チャンバの頂壁の中に固定的に装着されている信号ブロックを含み、前記連結方形ブロックの頂部端面には反射板が設置され、前記挿入溝の上下内壁には前記回転ヘッドの端面を貫通している挿入孔が設置され、前記回転チャンバの左側内壁の中には密封ブロックが設置され、前記回転ヘッドの外側端面には密封リングが固定的に装着され、前記密封リングと前記密封ブロックとが密封できるように装着されており、操作パネルを通じてモータＡを制御して始動し、前記連結方形ブロックと前記回転ヘッドとを回転連動させることを特徴とする請求項１に記載の子供用食器洗浄機。
【請求項３】
前記挟み部品はまた前記洗浄チャンバの左側壁の中に位置しているスライド穴を含み、前記スライドヘッドと前記スライド穴とはスライドできるように装着されることができ、前記底板の頂部端面には均一に分布している底部溝が設置され、前記底板の後側端面には側板が固定的に装着され、前記側板の前側端面には均一に分布している側部溝が設置され、前記側部溝と前記底部溝との間に前記食器をスライドできるように置くことができ、前記底板の頂部端面には左右対称である定位ブロックが設置され、前記底板の頂部にはトップ板がヒンジで装着され、前記トップ板と前記底板との間がねじヘッドにより連結されることができ、前記插入連結ヘッドの上下端面の中にはロックブロック溝が設置され、前記ロックブロック溝の中にはロックブロックがスライドできるように装着され、前記ロックブロックと前記ロックブロック溝との間にはばねが固定的に装着され、前記ロックブロック溝の左側内壁にはリミット溝が設置され、前記ロックブロックの左側端面にはリミットブロックが固定的に装着され、前記リミットブロックと前記リミット溝とがスライドできるように連結されており、前記スライドヘッドを前記スライド穴の中に挿入し、前記ロックブロックを押して前記插入連結ヘッドを前記挿入溝の中に挿入し、右へ前記底板を押し動かし、前記ばねの作用の下で前記ロックブロックが弾き出されて前記挿入孔の中に入ることを特徴とする請求項１に記載の子供用食器洗浄機。
【請求項４】
前記解錠部品は前記回転チャンバの上下両側に位置しているスライド溝を含み、上方の前記スライド溝の上方にはモータＢが固定的に装着され、前記モータＢの下向きの出力軸には下方の前記スライド溝の底壁と回転できるように装着されているねじロッドが固定的に連結され、上側の前記スライド溝の中の前記ねじロッドと下側の前記スライド溝の中の前記ねじロッドとのねじ山が逆方向に設置され、前記スライド溝の中には前記ねじロッドとねじ山により結合されているスライド板がスライドできるように装着され、上下両側の前記スライド板のうち前記モータＡに相対する片側の端面には押しロッドが固定的に装着されており、前記操作パネルを通じて前記モータＢを制御して始動し、前記モータＢが前記ねじロッドを回転連動させ、前記ねじロッドがねじ山による結合を通して上方の前記スライド板を下へ移動連動させ、下方の前記スライド板が上へ移動し、両側の前記押しロッドを同期に移動連動させ、前記押しロッドが前記挿入孔の中に入って前記ロックブロックを押し動かして移動させることを特徴とする請求項１に記載の子供用食器洗浄機。
【請求項５】
前記洗浄部品は前記洗浄チャンバの中に固定的に装着されているウォータポンプを含み、前記ウォータポンプの右側の水入り口には水入りパイプが密封されるように連結され、前記ウォータポンプの下方の水出口と前記洗浄チャンバの底壁には直接に水出通路が設置され、前記水出通路のところには電磁弁Ａが設置され、前記洗浄チャンバの底壁には排水パイプが設置され、前記排水パイプのところには電磁弁Ｂが設置され、前記洗浄チャンバの底壁には加熱エレメントが固定的に装着され、前記洗浄チャンバの左側壁の中には超音波発生ブロックが固定的に装着され、前記洗浄チャンバの後側壁にはガラスカバーが固定的に装着され、前記ガラスカバーの中の後側壁には均一に分布している紫外線ランプが固定的に装着されており、前記操作パネルにより洗浄の機能を始動し、前記ウォータポンプが前記水入りパイプを通して水を吸い、前記電磁弁Ａが開けられ、前記水出通路を通して前記洗浄チャンバの中に水を加え、前記加熱エレメントが始動されて加熱し始め、前記超音波発生ブロックが始動されて超音波を出すことで洗浄を行い、洗浄し終わった後で前記電磁弁Ｂを開けて廃水を排出することを特徴とする請求項１に記載の子供用食器洗浄機。
【発明の詳細な説明】
【技術分野】
【０００１】
本発明は食器洗浄分野に関わり、具体的には子供用食器洗浄機である。
【背景技術】
【０００２】
子供の体質が弱く、不衛生な食品を食べたら子供の体の具合が悪くなりやすく、食品の衛生問題を食物の出処及び食器から解決する必要があり、幼稚園の子供が多く、食器も多く、食器の洗浄には特に注意を払う必要があり、洗浄がきれいではないことや濯ぎが不十分であることなどが原因で、衛生上の問題を生じ、且つ洗浄した後から使用するまでの間に食器の衛生状況にも十分な注意を払わなければならなく、目下、食器洗い機や食器消毒保管庫などがあるが、二つの設備を使用することが面倒くさく、需要を満たすため、自動的に食器を洗浄する機能と消毒機能とを持つ子供用食器洗浄機が必要となる。
【先行技術文献】
【特許文献】
【０００３】
【特許文献１】中国特許出願公開第１０９２７６２１１号明細書
【発明の概要】
【発明が解決しようとする課題】
【０００４】
本発明は子供用の洗浄機を提供し、既存技術の上記欠点を解消することを目的とする。
【課題を解決するための手段】
【０００５】
本発明の実施例の子供用食器洗浄機は、外殻を含み、前記外殻の中には洗浄チャンバが設置され、前記外殻の頂部端面にはカバー板がヒンジで連結され、前記外殻の前側端面には操作パネルが固定的に装着され、前記洗浄チャンバの右側の中には回転部品が設置され、前記回転部品は回転チャンバを含み、前記回転チャンバの右側壁の中にはモータＡが固定的に装着され、前記モータＡの左側の出力軸には連結方形フロックが固定的に連結され、前記連結方形フロックの左側端面には回転ヘッドが固定的に装着され、前記回転ヘッドの中には左方に開口した挿入溝が設置され、前記洗浄チャンバの中には食器を置ける挟み部品が設置され、前記挟み部品は底板を含み、前記底板の左側端面にはスライドヘッドが固定的に装着され、前記底板の右側端面には插入連結ヘッドが固定的に装着され、前記插入連結ヘッドは前記挿入溝の中に挿入されて前記挿入溝と作動しあってロックを完成することができ、前記外殻の中には前記插入連結ヘッドと前記回転ヘッドとのロックを解除できる解錠部品が設置され、前記洗浄チャンバの中及び前記外殻の中には食器を洗浄と消毒できる洗浄部品が設置されている。
【０００６】
さらなる技術プランには、前記回転部品はまた前記回転チャンバの頂壁の中に固定的に装着されている信号ブロックを含み、前記連結方形ブロックの頂部端面には反射板が設置され、前記挿入溝の上下内壁には前記回転ヘッドの端面を貫通している挿入孔が設置され、前記回転チャンバの左側内壁の中には密封ブロックが設置され、前記回転ヘッドの外側端面には密封リングが固定的に装着され、前記密封リングと前記密封ブロックとが密封できるように装着されている。
【０００７】
さらなる技術プランには、前記挟み部品はまた前記洗浄チャンバの左側壁の中に位置しているスライド穴を含み、前記スライドヘッドと前記スライド穴とはスライドできるように装着されることができ、前記底板の頂部端面には均一に分布している底部溝が設置され、前記底板の後側端面には側板が固定的に装着され、前記側板の前側端面には均一に分布している側部溝が設置され、前記側部溝と前記底部溝との間に前記食器をスライドできるように置くことができ、前記底板の頂部端面には左右対称である定位ブロックが設置され、前記底板の頂部にはトップ板がヒンジで装着され、前記トップ板と前記底板との間がねじヘッドにより連結されることができ、前記插入連結ヘッドの上下端面の中にはロックブロック溝が設置され、前記ロックブロック溝の中にはロックブロックがスライドできるように装着され、前記ロックブロックと前記ロックブロック溝との間にはばねが固定的に装着され、前記ロックブロック溝の左側内壁にはリミット溝が設置され、前記ロックブロックの左側端面にはリミットブロックが固定的に装着され、前記リミットブロックと前記リミット溝とがスライドできるように連結されている。
【０００８】
さらなる技術プランには、前記解錠部品は前記回転チャンバの上下両側に位置しているスライド溝を含み、上方の前記スライド溝の上方にはモータＢが固定的に装着され、前記モータＢの下向きの出力軸には下方の前記スライド溝の底壁と回転できるように装着されているねじロッドが固定的に連結され、上側の前記スライド溝の中の前記ねじロッドと下側の前記スライド溝の中の前記ねじロッドとのねじ山が逆方向に設置され、前記スライド溝の中には前記ねじロッドとねじ山により結合されているスライド板がスライドできるように装着され、上下両側の前記スライド板のうち前記モータＡに相対する片側の端面には押しロッドが固定的に装着されている。
【０００９】
さらなる技術プランには、前記洗浄部品は前記洗浄チャンバの中に固定的に装着されているウォータポンプを含み、前記ウォータポンプの右側の水入り口には水入りパイプが密封されるように連結され、前記ウォータポンプの下方の水出口と前記洗浄チャンバの底壁には直接に水出通路が設置され、前記水出通路のところには電磁弁Ａが設置され、前記洗浄チャンバの底壁には排水パイプが設置され、前記排水パイプのところには電磁弁Ｂが設置され、前記洗浄チャンバの底壁には加熱エレメントが固定的に装着され、前記洗浄チャンバの左側壁の中には超音波発生ブロックが固定的に装着され、前記洗浄チャンバの後側壁にはガラスカバーが固定的に装着され、前記ガラスカバーの中の後側壁には均一に分布している紫外線ランプが固定的に装着されている。
【発明の効果】
【００１０】
本発明の有益な効果は：本発明は構成が簡単で、操作が便利で、食器をしっかりと固定でき、洗浄する時に食器が絶えず回転し、洗浄効率が高く、且つ洗浄効果が良く、超音波を利用することにより洗浄効果を更に向上させることができ、洗浄した後で紫外線を利用するのはよりよく細菌を殺して消毒でき、次回に使用されるまで食器のきれいさを保証でき、子供の使用に便利を与え、普及する価値がある。
【図面の簡単な説明】
【００１１】
【図１】図１は本発明の全体構成模式図
【図２】図２は図１のＡの拡大模式図
【図３】図３は図１のＢの拡大模式図
【発明を実施するための形態】
【００１２】
下記には図１−３を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１３】
図１−３を参照し、本発明の実施例の子供用食器洗浄機は、外殻１０を含み、前記外殻１０の中には洗浄チャンバ１２が設置され、前記外殻１０の頂部端面にはカバー板１１がヒンジで連結され、前記外殻１０の前側端面には操作パネル１３が固定的に装着され、前記洗浄チャンバ１２の右側の中には回転部品９０１が設置され、前記回転部品９０１は回転チャンバ４２を含み、前記回転チャンバ４２の右側壁の中にはモータＡ３８が固定的に装着され、前記モータＡ３８の左側の出力軸には連結方形フロック４６が固定的に連結され、前記連結方形フロック４６の左側端面には回転ヘッド４８が固定的に装着され、前記回転ヘッド４８の中には左方に開口した挿入溝７０が設置され、前記洗浄チャンバ１２の中には食器２１を置ける挟み部品９０２が設置され、前記挟み部品９０２は底板２０を含み、前記底板２０の左側端面にはスライドヘッド１８が固定的に装着され、前記底板２０の右側端面には插入連結ヘッド３４が固定的に装着され、前記插入連結ヘッド３４は前記挿入溝７０の中に挿入されて前記挿入溝７０と作動しあってロックを完成することができ、前記外殻１０の中には前記插入連結ヘッド３４と前記回転ヘッド４８とのロックを解除できる解錠部品９０３が設置され、前記洗浄チャンバ１２の中及び前記外殻１０の中には食器を洗浄と消毒できる洗浄部品９０４が設置されている。
【００１４】
有益な又は例示のように、前記回転部品９０１はまた前記回転チャンバ４２の頂壁の中に固定的に装着されている信号ブロック４５を含み、前記連結方形ブロック４６の頂部端面には反射板４７が設置され、前記挿入溝７０の上下内壁には前記回転ヘッド４８の端面を貫通している挿入孔５０が設置され、前記回転チャンバ４２の左側内壁の中には密封ブロック４３が設置され、前記回転ヘッド４８の外側端面には密封リング４４が固定的に装着され、前記密封リング４４と前記密封ブロック４３とが密封できるように装着されており、
操作パネル１３を通じてモータＡ３８を制御して始動し、連結方形ブロック４６と回転ヘッド４８とを回転連動させ、モータＡ３８を閉じた時、信号ブロック４５が反射板４７の角度を検査測定し、反射板４７により反射された信号の偏移角度は０°に近づくことを検査測定した時、モータＡ３８が停止する。
【００１５】
有益な又は例示のように、前記挟み部品９０２はまた前記洗浄チャンバ１２の左側壁の中に位置しているスライド穴１７を含み、前記スライドヘッド１８と前記スライド穴１７とはスライドできるように装着されることができ、前記底板２０の頂部端面には均一に分布している底部溝３１が設置され、前記底板２０の後側端面には側板３０が固定的に装着され、前記側板３０の前側端面には均一に分布している側部溝２８が設置され、前記側部溝２８と前記底部溝３１との間に前記食器２１をスライドできるように置くことができ、前記底板２０の頂部端面には左右対称である定位ブロック５５が設置され、前記底板２０の頂部にはトップ板３２がヒンジで装着され、前記トップ板３２と前記底板２０との間がねじヘッド３３により連結されることができ、前記插入連結ヘッド３４の上下端面の中にはロックブロック溝５１が設置され、前記ロックブロック溝５１の中にはロックブロック５２がスライドできるように装着され、前記ロックブロック５２と前記ロックブロック溝５１との間にはばね７１が固定的に装着され、前記ロックブロック溝５１の左側内壁にはリミット溝５４が設置され、前記ロックブロック５２の左側端面にはリミットブロック５３が固定的に装着され、前記リミットブロック５３と前記リミット溝５４とがスライドできるように連結されており、
取り付ける時、スライドヘッド１８をスライド穴１７の中に挿入し、ロックブロック５２を押して插入連結ヘッド３４を挿入溝７０の中に挿入し、右へ底板２０を押し動かし、ばね７１の作用の下でロックブロック５２が弾き出されて挿入孔５０の中に入り、ロックを完成し、食器２１を側部溝２８と側板３０とに沿って底板２０の中に置き、トップ板３２を覆ってねじヘッド３３をきつく締め、食器を固定する。
【００１６】
有益な又は例示のように、前記解錠部品９０３は前記回転チャンバ４２の上下両側に位置しているスライド溝４０を含み、上方の前記スライド溝４０の上方にはモータＢ３５が固定的に装着され、前記モータＢ３５の下向きの出力軸には下方の前記スライド溝４０の底壁と回転できるように装着されているねじロッド３６が固定的に連結され、上側の前記スライド溝４０の中の前記ねじロッド３６と下側の前記スライド溝４０の中の前記ねじロッド３６とのねじ山が逆方向に設置され、前記スライド溝４０の中には前記ねじロッド３６とねじ山により結合されているスライド板４１がスライドできるように装着され、上下両側の前記スライド板４１のうち前記モータＡ３８に相対する片側の端面には押しロッド３７が固定的に装着されており、
食器２１を取り出す時、操作パネル１３を通じてモータＢ３５を制御して始動し、モータＢ３５がねじロッド３６を回転連動させ、ねじロッド３６がねじ山による結合を通して上方のスライド板４１を下へ移動連動させ、下方のスライド板４１が上へ移動し、両側の押しロッド３７を同期に移動連動させ、押しロッド３７が挿入孔５０の中に入ってロックブロック５２を押し動かして移動させ、ロックを解除し、插入連結ヘッド３４を直接に引き抜くことができる。
【００１７】
有益な又は例示のように、前記洗浄部品９０４は前記洗浄チャンバ１２の中に固定的に装着されているウォータポンプ２７を含み、前記ウォータポンプ２７の右側の水入り口には水入りパイプ２９が密封されるように連結され、前記ウォータポンプ２７の下方の水出口と前記洗浄チャンバ１２の底壁には直接に水出通路２６が設置され、前記水出通路２６のところには電磁弁Ａ２５が設置され、前記洗浄チャンバ１２の底壁には排水パイプ２２が設置され、前記排水パイプ２２のところには電磁弁Ｂ２３が設置され、前記洗浄チャンバ１２の底壁には加熱エレメント２４が固定的に装着され、前記洗浄チャンバ１２の左側壁の中には超音波発生ブロック１５が固定的に装着され、前記洗浄チャンバ１２の後側壁にはガラスカバー１４が固定的に装着され、前記ガラスカバー１４の中の後側壁には均一に分布している紫外線ランプ１６が固定的に装着されており、
洗浄チャンバ１２の中に洗浄剤を入れ、操作パネル１３により洗浄の機能を始動し、加熱温度や洗浄時間などを選び、ウォータポンプ２７が水入りパイプ２９を通して水を吸い、電磁弁Ａ２５が開けられ、水出通路２６を通して洗浄チャンバ１２の中に水を加え、加熱エレメント２４が始動されて加熱し始め、超音波発生ブロック１５が始動されて超音波を出すことで洗浄を行い、洗浄し終わった後で電磁弁Ｂ２３を開けて廃水を排出し、清水を加えて食器を数回濯ぎ、紫外線ランプ１６が開けられて紫外線を出すことで細菌を殺して消毒する。
【００１８】
使用する時、スライドヘッド１８をスライド穴１７の中に挿入し、ロックブロック５２を押して插入連結ヘッド３４を挿入溝７０の中に挿入し、右へ底板２０を押し動かし、ばね７１の作用の下でロックブロック５２が弾み出されて挿入孔５０の中に入り、ロックを完成し、食器２１を側部溝２８と側板３０とに沿って底板２０の中に置き、トップ板３２を覆ってねじヘッド３３をきつく締め、食器を固定し、洗浄チャンバ１２の中に洗浄剤を加え、操作パネル１３により洗浄の機能を始動し、加熱温度や洗浄時間などを選び、ウォータポンプ２７が水入りパイプ２９を通して水を吸い、電磁弁Ａ２５が開けられ、水出通路２６を通して洗浄チャンバ１２の中に水を加え、加熱エレメント２４が始動されて加熱し始め、超音波発生ブロック１５が始動されて超音波を出すことで洗浄を行い、操作パネル１３によりモータＡ３８を制御して始動し、連結方形ブロック４６と回転ヘッド４８とを回転連動させ、回転ヘッド４８が插入連結ヘッド３４と底板２０とを回転連動させ、食器２１を回転連動させ、洗浄を速め、洗浄し終わった後で電磁弁Ｂ２３を開けて廃水を排出し、清水を加えて食器を数回濯ぎ、紫外線ランプ１６が開けられて紫外線を出すことで細菌を殺して消毒する。
【００１９】
モータＡ３８を閉じる時、信号ブロック４５が反射板４７の角度を検査測定し、反射板４７により反射された信号の偏移角度は０°に近づくことを検査測定した時、モータＡ３８が停止する。
【００２０】
食器２１を取り出す時、操作パネル１３を通じてモータＢ３５を制御して始動し、モータＢ３５がねじロッド３６を回転連動させ、ねじロッド３６がねじ山による結合を通して上方のスライド板４１を下へ移動連動させ、下方のスライド板４１が上へ移動し、両側の押しロッド３７を同期に移動連動させ、押しロッド３７が挿入孔５０の中に入ってロックブロック５２を押し動かして移動させ、ロックを解除し、插入連結ヘッド３４を直接に引き抜くことができる。
【００２１】
本発明の有益な効果は：本発明は構成が簡単で、操作が便利で、食器をしっかりと固定でき、洗浄する時に食器が絶えず回転し、洗浄効率が高く、且つ洗浄効果が良く、超音波を利用することにより洗浄効果を更に向上させることができ、洗浄した後で紫外線を利用するのはよりよく細菌を殺して消毒でき、次回に使用されるまで食器のきれいさを保証でき、子供の使用に便利を与え、普及する価値がある。
【００２２】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020179070.tif 000003
【図２】
2020179070.tif 000004
【図３】
2020179070.tif 000005
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
外殻を含み、前記外殻の中には洗浄チャンバが設置され、前記外殻の頂部端面にはカバー板がヒンジで連結され、前記外殻の前側端面には操作パネルが固定的に装着され、前記洗浄チャンバの右側の中には回転部品が設置され、前記回転部品は回転チャンバを含み、前記回転チャンバの右側壁の中にはモータＡが固定的に装着され、前記モータＡの左側の出力軸には連結方形フロックが固定的に連結され、前記連結方形フロックの左側端面には回転ヘッドが固定的に装着され、前記回転ヘッドの中には左方に開口した挿入溝が設置され、前記洗浄チャンバの中には食器を置ける挟み部品が設置され、前記挟み部品は底板を含み、前記底板の左側端面にはスライドヘッドが固定的に装着され、前記底板の右側端面には插入連結ヘッドが固定的に装着され、前記插入連結ヘッドは前記挿入溝の中に挿入されて前記挿入溝と作動しあってロックを完成することができ、前記外殻の中には前記插入連結ヘッドと前記回転ヘッドとのロックを解除できる解錠部品が設置され、前記洗浄チャンバの中及び前記外殻の中には食器を洗浄と消毒できる洗浄部品が設置され、
前記回転部品はまた前記回転チャンバの頂壁の中に固定的に装着されている信号ブロックを含み、前記連結方形ブロックの頂部端面には反射板が設置され、前記挿入溝の上下内壁には前記回転ヘッドの端面を貫通している挿入孔が設置され、前記回転チャンバの左側内壁の中には密封ブロックが設置され、前記回転ヘッドの外側端面には密封リングが固定的に装着され、前記密封リングと前記密封ブロックとが密封できるように装着されており、操作パネルを通じてモータＡを制御して始動し、前記連結方形ブロックと前記回転ヘッドとを回転連動させ、
前記挟み部品はまた前記洗浄チャンバの左側壁の中に位置しているスライド穴を含み、前記スライドヘッドと前記スライド穴とはスライドできるように装着されることができ、前記底板の頂部端面には均一に分布している底部溝が設置され、前記底板の後側端面には側板が固定的に装着され、前記側板の前側端面には均一に分布している側部溝が設置され、前記側部溝と前記底部溝との間に前記食器をスライドできるように置くことができ、前記底板の頂部端面には左右対称である定位ブロックが設置され、前記底板の頂部にはトップ板がヒンジで装着され、前記トップ板と前記底板との間がねじヘッドにより連結されることができ、前記插入連結ヘッドの上下端面の中にはロックブロック溝が設置され、前記ロックブロック溝の中にはロックブロックがスライドできるように装着され、前記ロックブロックと前記ロックブロック溝との間にはばねが固定的に装着され、前記ロックブロック溝の左側内壁にはリミット溝が設置され、前記ロックブロックの左側端面にはリミットブロックが固定的に装着され、前記リミットブロックと前記リミット溝とがスライドできるように連結されており、前記スライドヘッドを前記スライド穴の中に挿入し、前記ロックブロックを押して前記插入連結ヘッドを前記挿入溝の中に挿入し、右へ前記底板を押し動かし、前記ばねの作用の下で前記ロックブロックが弾き出されて前記挿入孔の中に入り、
前記解錠部品は前記回転チャンバの上下両側に位置しているスライド溝を含み、上方の前記スライド溝の上方にはモータＢが固定的に装着され、前記モータＢの下向きの出力軸には下方の前記スライド溝の底壁と回転できるように装着されているねじロッドが固定的に連結され、上側の前記スライド溝の中の前記ねじロッドと下側の前記スライド溝の中の前記ねじロッドとのねじ山が逆方向に設置され、前記スライド溝の中には前記ねじロッドとねじ山により結合されているスライド板がスライドできるように装着され、上下両側の前記スライド板のうち前記モータＡに相対する片側の端面には押しロッドが固定的に装着されており、前記操作パネルを通じて前記モータＢを制御して始動し、前記モータＢが前記ねじロッドを回転連動させ、前記ねじロッドがねじ山による結合を通して上方の前記スライド板を下へ移動連動させ、下方の前記スライド板が上へ移動し、両側の前記押しロッドを同期に移動連動させ、前記押しロッドが前記挿入孔の中に入って前記ロックブロックを押し動かして移動させ、
前記洗浄部品は前記洗浄チャンバの中に固定的に装着されているウォータポンプを含み、前記ウォータポンプの右側の水入り口には水入りパイプが密封されるように連結され、前記ウォータポンプの下方の水出口と前記洗浄チャンバの底壁には直接に水出通路が設置され、前記水出通路のところには電磁弁Ａが設置され、前記洗浄チャンバの底壁には排水パイプが設置され、前記排水パイプのところには電磁弁Ｂが設置され、前記洗浄チャンバの底壁には加熱エレメントが固定的に装着され、前記洗浄チャンバの左側壁の中には超音波発生ブロックが固定的に装着され、前記洗浄チャンバの後側壁にはガラスカバーが固定的に装着され、前記ガラスカバーの中の後側壁には均一に分布している紫外線ランプが固定的に装着されており、前記操作パネルにより洗浄の機能を始動し、前記ウォータポンプが前記水入りパイプを通して水を吸い、前記電磁弁Ａが開けられ、前記水出通路を通して前記洗浄チャンバの中に水を加え、前記加熱エレメントが始動されて加熱し始め、前記超音波発生ブロックが始動されて超音波を出すことで洗浄を行い、洗浄し終わった後で前記電磁弁Ｂを開けて廃水を排出し、
スライドヘッドをスライド穴の中に挿入し、ロックブロックを押して插入連結ヘッドを挿入溝の中に挿入し、右へ底板を押し動かし、ばねの作用の下でロックブロックが弾み出されて挿入孔の中に入り、ロックを完成し、食器を側部溝と側板とに沿って底板の中に置き、トップ板を覆ってねじヘッドをきつく締め、食器を固定し、洗浄チャンバの中に洗浄剤を加え、操作パネルにより洗浄の機能を始動し、加熱温度や洗浄時間などを選び、ウォータポンプが水入りパイプを通して水を吸い、電磁弁Ａが開けられ、水出通路を通して洗浄チャンバの中に水を加え、加熱エレメントが始動されて加熱し始め、超音波発生ブロックが始動されて超音波を出すことで洗浄を行い、操作パネルによりモータＡを制御して始動し、連結方形ブロックと回転ヘッドとを回転連動させ、回転ヘッドが插入連結ヘッドと底板とを回転連動させ、食器を回転連動させ、洗浄を速め、洗浄し終わった後で電磁弁Ｂを開けて廃水を排出し、清水を加えて食器を数回濯ぎ、紫外線ランプが開けられて紫外線を出すことで細菌を殺して消毒し、
食器を取り出す時、操作パネルを通じてモータＢを制御して始動し、モータＢがねじロッドを回転連動させ、ねじロッドがねじ山による結合を通して上方のスライド板を下へ移動連動させ、下方のスライド板が上へ移動し、両側の押しロッドを同期に移動連動させ、押しロッドが挿入孔の中に入ってロックブロックを押し動かして移動させ、ロックを解除し、插入連結ヘッドを直接に引き抜くことができることを特徴とする子供用食器洗浄機。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
外殻を含み、前記外殻の中には洗浄チャンバが設置され、前記外殻の頂部端面にはカバー板がヒンジで連結され、前記外殻の前側端面には操作パネルが固定的に装着され、前記洗浄チャンバの右側の中には回転部品が設置され、前記回転部品は回転チャンバを含み、前記回転チャンバの右側壁の中にはモータＡが固定的に装着され、前記モータＡの左側の出力軸には連結方形フロックが固定的に連結され、前記連結方形フロックの左側端面には回転ヘッドが固定的に装着され、洗浄を行う時に前記回転ヘッドが回転し、洗浄を行わない時に前記回転ヘッドが回転しなく、前記回転ヘッドの中には左方に開口した挿入溝が設置され、前記洗浄チャンバの中には食器を置ける挟み部品が設置され、前記挟み部品は底板を含み、前記底板の左側端面にはスライドヘッドが固定的に装着され、前記底板の右側端面には插入連結ヘッドが固定的に装着され、前記插入連結ヘッドは前記挿入溝の中に挿入されて前記挿入溝と作動しあってロックを完成することができ、前記外殻の中には前記插入連結ヘッドと前記回転ヘッドとのロックを解除できる解錠部品が設置され、前記洗浄チャンバの中及び前記外殻の中には食器を洗浄と消毒できる洗浄部品が設置され、
前記回転部品はまた前記回転チャンバの頂壁の中に固定的に装着されている信号ブロックを含み、前記連結方形ブロックの頂部端面には反射板が設置され、前記挿入溝の上下内壁には前記回転ヘッドの端面を貫通している挿入孔が設置され、前記回転チャンバの左側内壁の中には密封ブロックが設置され、前記回転ヘッドの外側端面には密封リングが固定的に装着され、前記密封リングと前記密封ブロックとが密封できるように装着されており、操作パネルを通じてモータＡを制御して始動し、前記連結方形ブロックと前記回転ヘッドとを回転連動させ、
前記挟み部品はまた前記洗浄チャンバの左側壁の中に位置しているスライド穴を含み、前記スライドヘッドと前記スライド穴とはスライドできるように装着されることができ、前記底板の頂部端面には均一に分布している底部溝が設置され、前記底板の後側端面には側板が固定的に装着され、前記側板の前側端面には均一に分布している側部溝が設置され、前記側部溝と前記底部溝との間に前記食器をスライドできるように置くことができ、前記底板の頂部端面には左右対称である定位ブロックが設置され、前記底板の頂部にはトップ板がヒンジで装着され、前記トップ板と前記底板との間がねじヘッドにより連結されることができ、前記插入連結ヘッドの上下端面の中にはロックブロック溝が設置され、前記ロックブロック溝の中にはロックブロックがスライドできるように装着され、前記ロックブロックと前記ロックブロック溝との間にはばねが固定的に装着され、前記ロックブロック溝の左側内壁にはリミット溝が設置され、前記ロックブロックの左側端面にはリミットブロックが固定的に装着され、前記リミットブロックと前記リミット溝とがスライドできるように連結されており、前記スライドヘッドを前記スライド穴の中に挿入し、前記ロックブロックを押して前記插入連結ヘッドを前記挿入溝の中に挿入し、右へ前記底板を押し動かし、前記ばねの作用の下で前記ロックブロックが弾き出されて前記挿入孔の中に入り、
前記解錠部品は前記回転チャンバの上下両側に位置しているスライド溝を含み、上方の前記スライド溝の上方にはモータＢが固定的に装着され、前記モータＢの下向きの出力軸には下方の前記スライド溝の底壁と回転できるように装着されているねじロッドが固定的に連結され、上側の前記スライド溝の中の前記ねじロッドと下側の前記スライド溝の中の前記ねじロッドとのねじ山が逆方向に設置され、前記スライド溝の中には前記ねじロッドとねじ山により結合されているスライド板がスライドできるように装着され、上下両側の前記スライド板のうち前記モータＡに相対する片側の端面には押しロッドが固定的に装着されており、前記操作パネルを通じて前記モータＢを制御して始動し、前記モータＢが前記ねじロッドを回転連動させ、前記ねじロッドがねじ山による結合を通して上方の前記スライド板を下へ移動連動させ、下方の前記スライド板が上へ移動し、両側の前記押しロッドを同期に移動連動させ、前記押しロッドが前記挿入孔の中に入って前記ロックブロックを押し動かして移動させ、
前記洗浄部品は前記洗浄チャンバの中に固定的に装着されているウォータポンプを含み、前記ウォータポンプの右側の水入り口には水入りパイプが密封されるように連結され、前記ウォータポンプの下方の水出口と前記洗浄チャンバの底壁には直接に水出通路が設置され、前記水出通路のところには電磁弁Ａが設置され、前記洗浄チャンバの底壁には排水パイプが設置され、前記排水パイプのところには電磁弁Ｂが設置され、前記洗浄チャンバの底壁には加熱エレメントが固定的に装着され、前記洗浄チャンバの左側壁の中には超音波発生ブロックが固定的に装着され、前記洗浄チャンバの後側壁にはガラスカバーが固定的に装着され、前記ガラスカバーの中の後側壁には均一に分布している紫外線ランプが固定的に装着されており、前記操作パネルにより洗浄の機能を始動し、前記ウォータポンプが前記水入りパイプを通して水を吸い、前記電磁弁Ａが開けられ、前記水出通路を通して前記洗浄チャンバの中に水を加え、前記加熱エレメントが始動されて加熱し始め、前記超音波発生ブロックが始動されて超音波を出すことで洗浄を行い、洗浄し終わった後で前記電磁弁Ｂを開けて廃水を排出し、
スライドヘッドをスライド穴の中に挿入し、ロックブロックを押して插入連結ヘッドを挿入溝の中に挿入し、右へ底板を押し動かし、ばねの作用の下でロックブロックが弾み出されて挿入孔の中に入り、ロックを完成し、食器を側部溝と側板とに沿って底板の中に置き、トップ板を覆ってねじヘッドをきつく締め、食器を固定し、洗浄チャンバの中に洗浄剤を加え、操作パネルにより洗浄の機能を始動し、加熱温度や洗浄時間などを選び、ウォータポンプが水入りパイプを通して水を吸い、電磁弁Ａが開けられ、水出通路を通して洗浄チャンバの中に水を加え、加熱エレメントが始動されて加熱し始め、超音波発生ブロックが始動されて超音波を出すことで洗浄を行い、操作パネルによりモータＡを制御して始動し、連結方形ブロックと回転ヘッドとを回転連動させ、回転ヘッドが插入連結ヘッドと底板とを回転連動させ、食器を回転連動させ、洗浄を速め、洗浄し終わった後で電磁弁Ｂを開けて廃水を排出し、清水を加えて食器を数回濯ぎ、紫外線ランプが開けられて紫外線を出すことで細菌を殺して消毒し、
食器を取り出す時、操作パネルを通じてモータＢを制御して始動し、モータＢがねじロッドを回転連動させ、ねじロッドがねじ山による結合を通して上方のスライド板を下へ移動連動させ、下方のスライド板が上へ移動し、両側の押しロッドを同期に移動連動させ、押しロッドが挿入孔の中に入ってロックブロックを押し動かして移動させ、ロックを解除し、插入連結ヘッドを直接に引き抜くことができることを特徴とする子供用食器洗浄機。
【手続補正２】
【補正対象書類名】明細書
【補正対象項目名】全文
【補正方法】変更
【補正の内容】
【発明の詳細な説明】
【技術分野】
【０００１】
本発明は食器洗浄分野に関わり、具体的には子供用食器洗浄機である。
【背景技術】
【０００２】
子供の体質が弱く、不衛生な食品を食べたら子供の体の具合が悪くなりやすく、食品の衛生問題を食物の出処及び食器から解決する必要があり、幼稚園の子供が多く、食器も多く、食器の洗浄には特に注意を払う必要があり、洗浄がきれいではないことや濯ぎが不十分であることなどが原因で、衛生上の問題を生じ、且つ洗浄した後から使用するまでの間に食器の衛生状況にも十分な注意を払わなければならなく、目下、食器洗い機や食器消毒保管庫などがあるが、二つの設備を使用することが面倒くさく、需要を満たすため、自動的に食器を洗浄する機能と消毒機能とを持つ子供用食器洗浄機が必要となる。
【先行技術文献】
【特許文献】
【０００３】
【特許文献１】中国特許出願公開第１０９２７６２１１号明細書
【発明の概要】
【発明が解決しようとする課題】
【０００４】
本発明は子供用の洗浄機を提供し、既存技術の上記欠点を解消することを目的とする。
【課題を解決するための手段】
【０００５】
本発明の実施例の子供用食器洗浄機は、外殻を含み、前記外殻の中には洗浄チャンバが設置され、前記外殻の頂部端面にはカバー板がヒンジで連結され、前記外殻の前側端面には操作パネルが固定的に装着され、前記洗浄チャンバの右側の中には回転部品が設置され、前記回転部品は回転チャンバを含み、前記回転チャンバの右側壁の中にはモータＡが固定的に装着され、前記モータＡの左側の出力軸には連結方形フロックが固定的に連結され、前記連結方形フロックの左側端面には回転ヘッドが固定的に装着され、洗浄を行う時に前記回転ヘッドが回転し、洗浄を行わない時に前記回転ヘッドが回転しなく、前記回転ヘッドの中には左方に開口した挿入溝が設置され、前記洗浄チャンバの中には食器を置ける挟み部品が設置され、前記挟み部品は底板を含み、前記底板の左側端面にはスライドヘッドが固定的に装着され、前記底板の右側端面には插入連結ヘッドが固定的に装着され、前記插入連結ヘッドは前記挿入溝の中に挿入されて前記挿入溝と作動しあってロックを完成することができ、前記外殻の中には前記插入連結ヘッドと前記回転ヘッドとのロックを解除できる解錠部品が設置され、前記洗浄チャンバの中及び前記外殻の中には食器を洗浄と消毒できる洗浄部品が設置されている。
【０００６】
さらなる技術プランには、前記回転部品はまた前記回転チャンバの頂壁の中に固定的に装着されている信号ブロックを含み、前記連結方形ブロックの頂部端面には反射板が設置され、前記挿入溝の上下内壁には前記回転ヘッドの端面を貫通している挿入孔が設置され、前記回転チャンバの左側内壁の中には密封ブロックが設置され、前記回転ヘッドの外側端面には密封リングが固定的に装着され、前記密封リングと前記密封ブロックとが密封できるように装着されている。
【０００７】
さらなる技術プランには、前記挟み部品はまた前記洗浄チャンバの左側壁の中に位置しているスライド穴を含み、前記スライドヘッドと前記スライド穴とはスライドできるように装着されることができ、前記底板の頂部端面には均一に分布している底部溝が設置され、前記底板の後側端面には側板が固定的に装着され、前記側板の前側端面には均一に分布している側部溝が設置され、前記側部溝と前記底部溝との間に前記食器をスライドできるように置くことができ、前記底板の頂部端面には左右対称である定位ブロックが設置され、前記底板の頂部にはトップ板がヒンジで装着され、前記トップ板と前記底板との間がねじヘッドにより連結されることができ、前記插入連結ヘッドの上下端面の中にはロックブロック溝が設置され、前記ロックブロック溝の中にはロックブロックがスライドできるように装着され、前記ロックブロックと前記ロックブロック溝との間にはばねが固定的に装着され、前記ロックブロック溝の左側内壁にはリミット溝が設置され、前記ロックブロックの左側端面にはリミットブロックが固定的に装着され、前記リミットブロックと前記リミット溝とがスライドできるように連結されている。
【０００８】
さらなる技術プランには、前記解錠部品は前記回転チャンバの上下両側に位置しているスライド溝を含み、上方の前記スライド溝の上方にはモータＢが固定的に装着され、前記モータＢの下向きの出力軸には下方の前記スライド溝の底壁と回転できるように装着されているねじロッドが固定的に連結され、上側の前記スライド溝の中の前記ねじロッドと下側の前記スライド溝の中の前記ねじロッドとのねじ山が逆方向に設置され、前記スライド溝の中には前記ねじロッドとねじ山により結合されているスライド板がスライドできるように装着され、上下両側の前記スライド板のうち前記モータＡに相対する片側の端面には押しロッドが固定的に装着されている。
【０００９】
さらなる技術プランには、前記洗浄部品は前記洗浄チャンバの中に固定的に装着されているウォータポンプを含み、前記ウォータポンプの右側の水入り口には水入りパイプが密封されるように連結され、前記ウォータポンプの下方の水出口と前記洗浄チャンバの底壁には直接に水出通路が設置され、前記水出通路のところには電磁弁Ａが設置され、前記洗浄チャンバの底壁には排水パイプが設置され、前記排水パイプのところには電磁弁Ｂが設置され、前記洗浄チャンバの底壁には加熱エレメントが固定的に装着され、前記洗浄チャンバの左側壁の中には超音波発生ブロックが固定的に装着され、前記洗浄チャンバの後側壁にはガラスカバーが固定的に装着され、前記ガラスカバーの中の後側壁には均一に分布している紫外線ランプが固定的に装着されている。
【発明の効果】
【００１０】
本発明の有益な効果は：本発明は構成が簡単で、操作が便利で、食器をしっかりと固定でき、洗浄する時に食器が絶えず回転し、洗浄効率が高く、且つ洗浄効果が良く、超音波を利用することにより洗浄効果を更に向上させることができ、洗浄した後で紫外線を利用するのはよりよく細菌を殺して消毒でき、次回に使用されるまで食器のきれいさを保証でき、子供の使用に便利を与え、普及する価値がある。
【図面の簡単な説明】
【００１１】
【図１】図１は本発明の全体構成模式図
【図２】図２は図１のＡの拡大模式図
【図３】図３は図１のＢの拡大模式図
【発明を実施するための形態】
【００１２】
下記には図１−３を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１３】
図１−３を参照し、本発明の実施例の子供用食器洗浄機は、外殻１０を含み、前記外殻１０の中には洗浄チャンバ１２が設置され、前記外殻１０の頂部端面にはカバー板１１がヒンジで連結され、前記外殻１０の前側端面には操作パネル１３が固定的に装着され、前記洗浄チャンバ１２の右側の中には回転部品９０１が設置され、前記回転部品９０１は回転チャンバ４２を含み、前記回転チャンバ４２の右側壁の中にはモータＡ３８が固定的に装着され、前記モータＡ３８の左側の出力軸には連結方形フロック４６が固定的に連結され、前記連結方形フロック４６の左側端面には回転ヘッド４８が固定的に装着され、洗浄を行う時に前記回転ヘッド４８が回転し、洗浄を行わない時に前記回転ヘッド４８が回転しなく、前記回転ヘッド４８の中には左方に開口した挿入溝７０が設置され、前記洗浄チャンバ１２の中には食器２１を置ける挟み部品９０２が設置され、前記挟み部品９０２は底板２０を含み、前記底板２０の左側端面にはスライドヘッド１８が固定的に装着され、前記底板２０の右側端面には插入連結ヘッド３４が固定的に装着され、前記插入連結ヘッド３４は前記挿入溝７０の中に挿入されて前記挿入溝７０と作動しあってロックを完成することができ、前記外殻１０の中には前記插入連結ヘッド３４と前記回転ヘッド４８とのロックを解除できる解錠部品９０３が設置され、前記洗浄チャンバ１２の中及び前記外殻１０の中には食器を洗浄と消毒できる洗浄部品９０４が設置されている。
【００１４】
有益な又は例示のように、前記回転部品９０１はまた前記回転チャンバ４２の頂壁の中に固定的に装着されている信号ブロック４５を含み、前記連結方形ブロック４６の頂部端面には反射板４７が設置され、前記挿入溝７０の上下内壁には前記回転ヘッド４８の端面を貫通している挿入孔５０が設置され、前記回転チャンバ４２の左側内壁の中には密封ブロック４３が設置され、前記回転ヘッド４８の外側端面には密封リング４４が固定的に装着され、前記密封リング４４と前記密封ブロック４３とが密封できるように装着されており、操作パネル１３を通じてモータＡ３８を制御して始動し、連結方形ブロック４６と回転ヘッド４８とを回転連動させ、モータＡ３８を閉じた時、信号ブロック４５が反射板４７の角度を検査測定し、反射板４７により反射された信号の偏移角度は０°に近づくことを検査測定した時、モータＡ３８が停止する。
【００１５】
有益な又は例示のように、前記挟み部品９０２はまた前記洗浄チャンバ１２の左側壁の中に位置しているスライド穴１７を含み、前記スライドヘッド１８と前記スライド穴１７とはスライドできるように装着されることができ、前記底板２０の頂部端面には均一に分布している底部溝３１が設置され、前記底板２０の後側端面には側板３０が固定的に装着され、前記側板３０の前側端面には均一に分布している側部溝２８が設置され、前記側部溝２８と前記底部溝３１との間に前記食器２１をスライドできるように置くことができ、前記底板２０の頂部端面には左右対称である定位ブロック５５が設置され、前記底板２０の頂部にはトップ板３２がヒンジで装着され、前記トップ板３２と前記底板２０との間がねじヘッド３３により連結されることができ、前記插入連結ヘッド３４の上下端面の中にはロックブロック溝５１が設置され、前記ロックブロック溝５１の中にはロックブロック５２がスライドできるように装着され、前記ロックブロック５２と前記ロックブロック溝５１との間にはばね７１が固定的に装着され、前記ロックブロック溝５１の左側内壁にはリミット溝５４が設置され、前記ロックブロック５２の左側端面にはリミットブロック５３が固定的に装着され、前記リミットブロック５３と前記リミット溝５４とがスライドできるように連結されており、取り付ける時、スライドヘッド１８をスライド穴１７の中に挿入し、ロックブロック５２を押して插入連結ヘッド３４を挿入溝７０の中に挿入し、右へ底板２０を押し動かし、ばね７１の作用の下でロックブロック５２が弾き出されて挿入孔５０の中に入り、ロックを完成し、食器２１を側部溝２８と側板３０とに沿って底板２０の中に置き、トップ板３２を覆ってねじヘッド３３をきつく締め、食器を固定する。
【００１６】
有益な又は例示のように、前記解錠部品９０３は前記回転チャンバ４２の上下両側に位置しているスライド溝４０を含み、上方の前記スライド溝４０の上方にはモータＢ３５が固定的に装着され、前記モータＢ３５の下向きの出力軸には下方の前記スライド溝４０の底壁と回転できるように装着されているねじロッド３６が固定的に連結され、上側の前記スライド溝４０の中の前記ねじロッド３６と下側の前記スライド溝４０の中の前記ねじロッド３６とのねじ山が逆方向に設置され、前記スライド溝４０の中には前記ねじロッド３６とねじ山により結合されているスライド板４１がスライドできるように装着され、上下両側の前記スライド板４１のうち前記モータＡ３８に相対する片側の端面には押しロッド３７が固定的に装着されており、食器２１を取り出す時、操作パネル１３を通じてモータＢ３５を制御して始動し、モータＢ３５がねじロッド３６を回転連動させ、ねじロッド３６がねじ山による結合を通して上方のスライド板４１を下へ移動連動させ、下方のスライド板４１が上へ移動し、両側の押しロッド３７を同期に移動連動させ、押しロッド３７が挿入孔５０の中に入ってロックブロック５２を押し動かして移動させ、ロックを解除し、插入連結ヘッド３４を直接に引き抜くことができる。
【００１７】
有益な又は例示のように、前記洗浄部品９０４は前記洗浄チャンバ１２の中に固定的に装着されているウォータポンプ２７を含み、前記ウォータポンプ２７の右側の水入り口には水入りパイプ２９が密封されるように連結され、前記ウォータポンプ２７の下方の水出口と前記洗浄チャンバ１２の底壁には直接に水出通路２６が設置され、前記水出通路２６のところには電磁弁Ａ２５が設置され、前記洗浄チャンバ１２の底壁には排水パイプ２２が設置され、前記排水パイプ２２のところには電磁弁Ｂ２３が設置され、前記洗浄チャンバ１２の底壁には加熱エレメント２４が固定的に装着され、前記洗浄チャンバ１２の左側壁の中には超音波発生ブロック１５が固定的に装着され、前記洗浄チャンバ１２の後側壁にはガラスカバー１４が固定的に装着され、前記ガラスカバー１４の中の後側壁には均一に分布している紫外線ランプ１６が固定的に装着されており、洗浄チャンバ１２の中に洗浄剤を入れ、操作パネル１３により洗浄の機能を始動し、加熱温度や洗浄時間などを選び、ウォータポンプ２７が水入りパイプ２９を通して水を吸い、電磁弁Ａ２５が開けられ、水出通路２６を通して洗浄チャンバ１２の中に水を加え、加熱エレメント２４が始動されて加熱し始め、超音波発生ブロック１５が始動されて超音波を出すことで洗浄を行い、洗浄し終わった後で電磁弁Ｂ２３を開けて廃水を排出し、清水を加えて食器を数回濯ぎ、紫外線ランプ１６が開けられて紫外線を出すことで細菌を殺して消毒する。
【００１８】
使用する時、スライドヘッド１８をスライド穴１７の中に挿入し、ロックブロック５２を押して插入連結ヘッド３４を挿入溝７０の中に挿入し、右へ底板２０を押し動かし、ばね７１の作用の下でロックブロック５２が弾み出されて挿入孔５０の中に入り、ロックを完成し、食器２１を側部溝２８と側板３０とに沿って底板２０の中に置き、トップ板３２を覆ってねじヘッド３３をきつく締め、食器を固定し、洗浄チャンバ１２の中に洗浄剤を加え、操作パネル１３により洗浄の機能を始動し、加熱温度や洗浄時間などを選び、ウォータポンプ２７が水入りパイプ２９を通して水を吸い、電磁弁Ａ２５が開けられ、水出通路２６を通して洗浄チャンバ１２の中に水を加え、加熱エレメント２４が始動されて加熱し始め、超音波発生ブロック１５が始動されて超音波を出すことで洗浄を行い、操作パネル１３によりモータＡ３８を制御して始動し、連結方形ブロック４６と回転ヘッド４８とを回転連動させ、回転ヘッド４８が插入連結ヘッド３４と底板２０とを回転連動させ、食器２１を回転連動させ、洗浄を速め、洗浄し終わった後で電磁弁Ｂ２３を開けて廃水を排出し、清水を加えて食器を数回濯ぎ、紫外線ランプ１６が開けられて紫外線を出すことで細菌を殺して消毒する。
【００１９】
モータＡ３８を閉じる時、信号ブロック４５が反射板４７の角度を検査測定し、反射板４７により反射された信号の偏移角度は０°に近づくことを検査測定した時、モータＡ３８が停止する。
【００２０】
食器２１を取り出す時、操作パネル１３を通じてモータＢ３５を制御して始動し、モータＢ３５がねじロッド３６を回転連動させ、ねじロッド３６がねじ山による結合を通して上方のスライド板４１を下へ移動連動させ、下方のスライド板４１が上へ移動し、両側の押しロッド３７を同期に移動連動させ、押しロッド３７が挿入孔５０の中に入ってロックブロック５２を押し動かして移動させ、ロックを解除し、插入連結ヘッド３４を直接に引き抜くことができる。
【００２１】
本発明の有益な効果は：本発明は構成が簡単で、操作が便利で、食器をしっかりと固定でき、洗浄する時に食器が絶えず回転し、洗浄効率が高く、且つ洗浄効果が良く、超音波を利用することにより洗浄効果を更に向上させることができ、洗浄した後で紫外線を利用するのはよりよく細菌を殺して消毒でき、次回に使用されるまで食器のきれいさを保証でき、子供の使用に便利を与え、普及する価値がある。
【００２２】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。